(57)【特許請求の範囲】
【請求項１】
隣接している無線基地局である隣接基地局が配下の移動端末により検出された場合に当該移動端末のハンドオーバ制御で必要な情報を送受信するための回線を当該隣接基地局との間で設定する機能、および他の無線基地局と協調して無線送受信を行う協調機能を有する無線基地局であって、
前記ハンドオーバ制御で必要な情報を送受信するための回線を隣接基地局との間で設定する動作において、当該回線設定のための情報を交換する際に、当該隣接基地局と協調して無線送受信を行う場合の制御情報やデータを交換するための協調動作用回線の情報および当該協調動作用回線における伝送遅延測定のための情報も併せて交換し、さらに、当該協調動作用回線における伝送遅延を測定し、当該測定結果に基づいて、前記隣接基地局と協調して無線送受信を行うか否かを判定し、
前記協調動作用回線における伝送遅延測定のための情報は、使用可能な伝送遅延測定方法のリストを含む
ことを特徴とする無線基地局。
【請求項２】
隣接している無線基地局である隣接基地局が配下の移動端末により検出された場合に当該移動端末のハンドオーバ制御で必要な情報を送受信するための回線を当該隣接基地局との間で設定する機能、および他の無線基地局と協調して無線送受信を行う協調機能を有する無線基地局であって、
前記ハンドオーバ制御で必要な情報を送受信するための回線を隣接基地局との間で設定する動作において、当該回線設定のための情報を交換する際に、当該隣接基地局と協調して無線送受信を行う場合の制御情報やデータを交換するための協調動作用回線の情報および当該協調動作用回線における伝送遅延測定のための情報も併せて交換し、さらに、当該協調動作用回線における伝送遅延を測定し、当該測定結果に基づいて、前記隣接基地局と協調して無線送受信を行うか否かを判定し、
すべての隣接基地局との間で協調動作用回線を設定するとともに、各協調動作用回線における伝送遅延を定期的に測定し、測定結果を取得するごとに、当該測定結果に基づいて隣接基地局と協調して無線送受信を行うかどうかを再判定し、協調して無線送受信を行う隣接基地局を適応的に変更する
ことを特徴とする無線基地局。
【請求項３】
前記協調動作用回線における伝送遅延測定のための情報は、使用可能な伝送遅延測定方法のリストを含む
ことを特徴とする請求項２に記載の無線基地局。
【請求項４】
前記ハンドオーバ制御で必要な情報を送受信するための回線を前記協調動作用回線として使用する
ことを特徴とする請求項１、２または３に記載の無線基地局。
【請求項５】
前記協調機能を、３ＧＰＰ（3rd  Generation  Partnership  Project）のＬＴＥ−Ａｄｖａｎｃｅｄ（Long  Term  Evolution-Advanced）システムにおけるＣｏＭＰ（Coordinated  MultiPoint  transmission/reception）とすることを特徴とする請求項１〜４のいずれか一つに記載の無線基地局。
【請求項６】
隣接している無線基地局である隣接基地局が配下の移動端末により検出された場合に当該移動端末のハンドオーバ制御で必要な情報を送受信するための回線を当該隣接基地局との間で設定する無線基地局と、無線基地局を収容するコアネットワーク装置と、を備えた無線通信システムにおいて、無線基地局が隣接基地局と協調して無線送受信を行う場合の通信方法であって、
各無線基地局が、配下の移動端末により検出された隣接基地局と協調して無線送受信を行うか否かを判定するための処理として、
前記ハンドオーバ制御で必要な情報を送受信するための回線を隣接基地局との間で設定する際に、当該回線設定のための情報とともに、当該隣接基地局と協調して無線送受信を行う場合の制御情報やデータを交換するための協調動作用回線の情報および当該協調動作用回線における伝送遅延測定のための情報を前記コアネットワーク装置経由で交換する情報交換ステップと、
前記情報交換ステップにおいて交換した情報を用いて前記協調動作用回線における伝送遅延を測定する遅延測定ステップと、
前記伝送遅延の測定結果に基づいて、前記隣接基地局と協調して無線送受信を行うか否かを判定する判定ステップと、
を含み、
前記協調動作用回線における伝送遅延測定のための情報は、隣接基地局を検出した移動端末を収容している無線基地局が使用可能な伝送遅延測定方法のリストを含む
ことを特徴とする通信方法。
【請求項７】
隣接している無線基地局である隣接基地局が配下の移動端末により検出された場合に当該移動端末のハンドオーバ制御で必要な情報を送受信するための回線を当該隣接基地局との間で設定する無線基地局と、無線基地局を収容するコアネットワーク装置と、を備えた無線通信システムにおいて、無線基地局が隣接基地局と協調して無線送受信を行う場合の通信方法であって、
各無線基地局が、配下の移動端末により検出された隣接基地局と協調して無線送受信を行うか否かを判定するための処理として、
前記ハンドオーバ制御で必要な情報を送受信するための回線を隣接基地局との間で設定する際に、当該回線設定のための情報とともに、当該隣接基地局と協調して無線送受信を行う場合の制御情報やデータを交換するための協調動作用回線の情報および当該協調動作用回線における伝送遅延測定のための情報を前記コアネットワーク装置経由で交換する情報交換ステップと、
前記情報交換ステップにおいて交換した情報を用いて前記協調動作用回線における伝送遅延を測定する遅延測定ステップと、
前記伝送遅延の測定結果に基づいて、前記隣接基地局と協調して無線送受信を行うか否かを判定する判定ステップと、
を含み、
各無線基地局は、すべての隣接基地局との間で協調動作用回線を設定するとともに、各協調動作用回線における伝送遅延を定期的に測定し、測定結果を取得するごとに、当該測定結果に基づいて隣接基地局と協調して無線送受信を行うかどうかを再判定し、協調して無線送受信を行う隣接基地局を適応的に変更する
ことを特徴とする通信方法。
【請求項８】
前記協調動作用回線における伝送遅延測定のための情報は、隣接基地局を検出した移動端末を収容している無線基地局が使用可能な伝送遅延測定方法のリストを含む
ことを特徴とする請求項７に記載の通信方法。
【請求項９】
前記ハンドオーバ制御で必要な情報を送受信するための回線を前記協調動作用回線として使用する
ことを特徴とする請求項６、７または８に記載の通信方法。
【請求項１０】
隣接基地局と協調して無線送受信を行う機能を、３ＧＰＰ（3rd  Generation  Partnership  Project）のＬＴＥ−Ａｄｖａｎｃｅｄ（Long  Term  Evolution-Advanced）システムにおけるＣｏＭＰ（Coordinated  MultiPoint  transmission/reception）とすることを特徴とする請求項６〜９のいずれか一つに記載の通信方法。
【発明の詳細な説明】
【技術分野】
【０００１】
本発明は、複数のセル間で協調して無線送受信を行う無線通信システムを構成する無線基地局および通信方法に関する。
【背景技術】
【０００２】
３ＧＰＰ（3rd  Generation  Partnership  Project）で規格化が進められているＬＴＥ−Ａｄｖａｎｃｅｄ（Long  Term  Evolution-Advanced）システムでは、複数のセル間で協調して無線送受信を行うＣｏＭＰ（Coordinated  MultiPoint  transmission/reception）がサポートされる。ＣｏＭＰには、（１）データを複数のセルから同時または選択的に送信するＪＰ（Joint  Processing）、（２）あるセルにおけるスケジューリングやビームフォーミングを他のセルで考慮し、当該セルのデータ送信利得が向上するようにするＣＳ／ＣＢ（Coordinated  Scheduling/Coordinated  Beamforming）、の２つの送信モードがある（非特許文献１）。いずれの送信モードにおいても、基地局間で情報を共有するために高速な基地局間回線が必要となる。
【０００３】
ＬＴＥ−Ａｄｖａｎｃｅシステム及びその前身のＬＴＥシステムでは、端末に隣接セルを検出・報告させ、当該隣接セルを形成する基地局との間でハンドオーバ制御を行うための基地局間インタフェースを自動的に設定するＡＮＲ（Automatic  Neighbor  Relation）機能が規定されている（非特許文献２，非特許文献３）。
【０００４】
特許文献１に記載の発明では、ＡＮＲ機能によって端末に検出・報告させた隣接セルについて、当該隣接セルにおける接続端末数、端末における当該隣接セルの受信信号強度、端末の報告回数等に基づいてＣｏＭＰを行う隣接セルの集合（CoMP  Cooperating  Set）を決定し、ＣｏＭＰを行う隣接セルを形成する基地局との間でＣｏＭＰ実施可否，実施可能な上記ＣｏＭＰモードの交渉を行うようにすることで、CoMP  Cooperating  Setの設定及びＣｏＭＰに必要な基地局間インタフェースの設定が自動的に行えるようにしている。
【先行技術文献】
【特許文献】
【０００５】
【特許文献１】国際公開第２０１１／０１６５６０号
【非特許文献】
【０００６】
【非特許文献１】“３ＧＰＰ  ＴＲ  ３６．８１４”  Ver.9.0.0  (2010-03-30)
【非特許文献２】“３ＧＰＰ  ＴＳ  ３６．４１３”  Ver.9.5.1  (2011-01-06)
【非特許文献３】“３ＧＰＰ  ＴＳ  ３６．４２３”  Ver.9.5.0  (2010-12-21)
【発明の概要】
【発明が解決しようとする課題】
【０００７】
ＣｏＭＰでは端末が複数のセルと送受信を行うために十分な無線通信品質を維持できる必要がある一方で、端末と通信する複数のセルを形成する複数の基地局間でＣｏＭＰに必要な制御情報を所定の遅延時間以内に交換できなければならない。そのため、CoMP  Cooperation  Setの構成時には、端末による隣接セルとの無線通信品質の測定のみならず、端末と通信中の基地局と、CoMP  Cooperation  Setに追加しようとしている基地局の間の回線が、ＣｏＭＰを行うのに十分な伝送特性を有しているか否かを検証する必要がある。
【０００８】
本発明は、上記に鑑みてなされたものであって、ＡＮＲ機能において端末に検出された隣接する無線基地局のうち、ＣｏＭＰのために共有する必要がある情報を所定の遅延時間以内に交換可能な無線基地局を選択してＣｏＭＰを行う無線基地局および通信方法を得ることを目的とする。
【課題を解決するための手段】
【０００９】
上述した課題を解決し、目的を達成するために、本発明は、隣接している無線基地局である隣接基地局が配下の移動端末により検出された場合に当該移動端末のハンドオーバ制御で必要な情報を送受信するための回線を当該隣接基地局との間で設定する機能、および他の無線基地局と協調して無線送受信を行う協調機能を有する無線基地局であって、前記ハンドオーバ制御で必要な情報を送受信するための回線を隣接基地局との間で設定する動作において、当該回線設定のための情報を交換する際に、当該隣接基地局と協調して無線送受信を行う場合の制御情報やデータを交換するための協調動作用回線の情報および当該協調動作用回線における伝送遅延測定のための情報も併せて交換し、さらに、当該協調動作用回線における伝送遅延を測定し、当該測定結果に基づいて、前記隣接基地局と協調して無線送受信を行うか否かを判定することを特徴とする。
【発明の効果】
【００１０】
本発明によれば、協調動作を行うのに十分な伝送特性の回線を設定可能な隣接セル（協調動作で必要な情報を所定時間以内に交換可能な隣接基地局）を対象として協調動作を行う無線基地局を実現できるという効果を奏する。
【図面の簡単な説明】
【００１１】
【図１】図１は、本願発明にかかる無線基地局を備えた無線通信システムの構成例を示す図である。
【図２】図２は、従来のＡＮＲ機能による装置間インタフェース確立手順を示す図である。
【図３】図３は、本願発明にかかる無線基地局による装置間インタフェース確立手順の一例を示す図である。
【発明を実施するための形態】
【００１２】
以下に、本発明にかかる無線基地局および通信方法の実施の形態を図面に基づいて詳細に説明する。なお、この実施の形態によりこの発明が限定されるものではない。
【００１３】
実施の形態．
図１は、本願発明にかかる無線基地局を備えた無線通信システムの構成例を示す図である。本実施の形態では、無線通信システムが３ＧＰＰ  ＬＴＥあるいはＬＴＥ−Ａｄｖａｎｃｅｄシステムの場合におけるCoMP  Cooperation  Set構成方法について説明する。
【００１４】
図１に示したように、本実施の形態の無線通信システムは、コアネットワーク装置（ＭＭＥ）１１および１２と無線基地局（ｅＮＢ）２１および２２を備えている。また、ｅＮＢ２１，ｅＮＢ２２は、それぞれ、無線通信エリアであるセル（Ｃｅｌｌ）４１，４２を形成している。移動端末（ＵＥ）３は、セル４１においてｅＮＢ２１と無線通信を行っている。セル４２はセル４１に隣接しており、ＵＥ３は、ｅＮＢ２１とｅＮＢ２２の間でハンドオーバ処理を行うことで、通信を維持しながらセル４１からセル４２へ、あるいはセル４２からセル４１へ移動することができる。
【００１５】
ｅＮＢ２１とｅＮＢ２２は協調し、セル４１およびセル４２とＵＥ３との間でＣｏＭＰを行うことができるものとする。しかし今、ｅＮＢ２１はセル４２が自セル（セル４１）に隣接していることを把握しておらず、ＵＥ３をセル４１からセル４２へハンドオーバさせることも、ｅＮＢ２２との間でＣｏＭＰを行うこともできないものとする。
【００１６】
ｅＮＢ２１は上位のＭＭＥ１１と装置間インタフェース１０１で接続されている。同様にｅＮＢ２２はＭＭＥ１２と装置間インタフェース１０２で接続されている。ＭＭＥ１１およびＭＭＥ１２は各々図示されていない複数の無線基地局（ｅＮＢ）と接続され、移動端末（ＵＥ）の在圏情報の管理，着信処理，移動端末に提供するサービスに応じたユーザデータ（音声，ビデオストリーム，パケット等）の経路制御等を行う。ＭＭＥ１１とＭＭＥ１２は装置間インタフェース１０３で接続されており、装置間インタフェース１０１〜１０３を介してｅＮＢ２１とｅＮＢ２２が間接的に通信することによりセル４１−セル４２間のハンドオーバ制御を行うこともできる。ＭＭＥ１１とＭＭＥ１２はＵＥ３に関する情報の引き継ぎを行う際にもインタフェース１０３を使用する。
【００１７】
ＬＴＥ／ＬＴＥ−ＡｄｖａｎｃｅｄシステムにおけるＡＮＲ機能はＵＥ３が検出した隣接セル４２をセル４１の隣接セルとして追加し、ｅＮＢ２１とｅＮＢ２２の間の装置間インタフェース１０４（図１参照）を確立する。ここで、ＡＮＲ機能により装置間インタフェース１０４を確立させる場合の従来の手順について、図２を用いて説明する。
【００１８】
隣接しているセルを形成しているｅＮＢ間で装置間インタフェースを確立させる場合の従来の手順では、まず、ＵＥ３が、在圏しているセル４１の隣接セル４２上で送信されている報知チャネルの受信品質（例えば受信電力）を測定するとともに、報知チャネル上で送信されているセル４２の広域セルＩＤと位置登録エリアＩＤ（以下、これらをセル情報と呼ぶ）を取得する（ステップＳ１）。
【００１９】
次に、ＵＥ３は、上記ステップＳ１で測定・取得した受信品質・セル情報を、ＭＥＡＳＵＲＥＭＥＮＴ  ＲＥＰＯＲＴ（メッセージ）にて、無線通信中のｅＮＢ２１に報告する（ステップＳ２）。
【００２０】
ＵＥ３から上記報告を受けたｅＮＢ２１は、ＵＥ３から受信したセル４２の受信品質・セル情報からセル４２を自セル（セル４１）の隣接セルリストに加えるか否かを判定する。判定方法については様々な実装が考えられ、例えば、受信品質または同様の情報と、情報の受信回数とにしきい値を設け、受信品質等がしきい値以上を示している情報を所定回数にわたって連続して受信した場合に隣接セルリストに加えるようにすることができる。隣接セルリストに加えることとした場合、ｅＮＢ２１は、ＵＥ３から受信した広域セルＩＤを確認してセル４２を形成しているｅＮＢ２２の基地局ＩＤを取得する。さらに、取得したｅＮＢ２２の基地局ＩＤをＵＥ３から受信した位置登録エリアＩＤと共に、ｅＮＢ  ＣＯＮＦＩＧＵＲＡＴＩＯＮ  ＴＲＡＮＳＦＥＲにてＭＭＥ１１へ送信する。このｅＮＢ  ＣＯＮＦＩＧＵＲＡＴＩＯＮ  ＴＲＡＮＳＦＥＲには、基地局ＩＤで特定される基地局（ｅＮＢ２２）に対してｅＮＢ２１が装置間インタフェース１０４を確立するための情報を要求する、ＳＣＴＰエンドポイント情報要求も含ませる（ステップＳ３）。
【００２１】
ｅＮＢ２１から上記メッセージを受信したＭＭＥ１１は、当該メッセージに含まれる位置登録エリアＩＤを確認して当該メッセージを転送すべきＭＭＥを特定し、特定したＭＭＥであるＭＭＥ１２に対して、ＣＯＮＦＩＧＵＲＡＴＩＯＮ  ＴＲＡＮＳＦＥＲ  ＴＵＮＮＥＬとしてメッセージ（基地局ＩＤ，位置登録エリアＩＤ）を転送する（ステップＳ４）。
【００２２】
ＭＭＥ１１により転送された上記メッセージを受信したＭＭＥ１２は、当該メッセージをＭＭＥ  ＣＯＮＦＩＧＵＲＡＴＩＯＮ  ＴＲＡＮＳＦＥＲとしてｅＮＢ２２へ転送する（ステップＳ５）。
【００２３】
ＭＭＥ１２により転送された上記メッセージを受信したｅＮＢ２２は、ｅＮＢ２１とインタフェース１０４を確立するために必要なｅＮＢ２２側のＳＣＴＰエンドポイント情報（ＩＰアドレス，ＳＣＴＰポート番号）をｅＮＢ  ＣＯＮＦＩＧＵＲＡＴＩＯＮ  ＴＲＡＮＳＦＥＲにてＭＭＥ１２へ送信する（ステップＳ６）。
【００２４】
ｅＮＢ２２から上記メッセージを受信したＭＭＥ１２は、当該メッセージをＣＯＮＦＩＧＵＲＡＴＩＯＮ  ＴＲＡＮＳＦＥＲ  ＴＵＮＮＥＬとしてＭＭＥ１１へ転送する（ステップＳ７）。
【００２５】
ＭＭＥ１２により転送された上記メッセージを受信したＭＭＥ１１は、当該受信したメッセージをＭＭＥ  ＣＯＮＦＩＧＵＲＡＴＩＯＮ  ＴＲＡＮＳＦＥＲとしてｅＮＢ２１へ転送する（ステップＳ８）。
【００２６】
ＭＭＥ１１により転送された上記メッセージを受信し、上記ｅＮＢ２２から送信された装置間インタフェース１０４を確立させるための情報（ｅＮＢ２２側のＳＣＴＰエンドポイント情報）を取得したｅＮＢ２１は、この情報を用いてｅＮＢ２２との間で装置間インタフェース１０４を確立する（ステップＳ９）。
【００２７】
ｅＮＢ２１は、さらに、確立した装置間インタフェース１０４を介して、セル４２に対する隣接セル情報（セル４１のセル情報）をｅＮＢ２２に通知する（ステップＳ１０）。
【００２８】
ｅＮＢ２２は、ｅＮＢ２１から上記隣接セル情報を受信すると、インタフェース１０４を介して、セル４１に対する隣接セル情報（セル４２のセル情報）をｅＮＢ２１に通知する（ステップＳ１１）。
【００２９】
以上のようにして、従来のＬＴＥ／ＬＴＥ−Ａｄｖａｎｃｅｄシステムでは、ＡＮＲ機能により隣接セル情報の交換および基地局間インタフェース１０４の確立を自動的に行う。
【００３０】
次に、図１および図３を用いて、本実施の形態の無線通信システムにおけるCoMP  Cooperation  Setの構成手順を説明する。なお、図３は、本実施の形態の無線通信システムにおけるＡＮＲ機能を利用したCoMP  Cooperation  Setの構成手順の一例を示す図である。この図３においては、図２に示した処理と同じ処理に同じステップ番号を付している。図２と同じステップ番号の処理については説明を省略する。
【００３１】
本実施の形態の無線通信システムにおいて、ｅＮＢ２１は、ステップＳ２でＵＥ３から送信されたセル情報および受信品質情報を受信すると、従来のＡＮＲ機能（図２のステップＳ３参照）と同様の情報、すなわち、基地局ＩＤ，位置登録エリアＩＤ，ＳＣＴＰ（Stream  Control  Transmission  Protocol）エンドポイント情報要求を含み、さらに、遅延測定要求を含んだｅＮＢ２２宛のメッセージをｅＮＢ  ＣＯＮＦＩＧＵＲＡＴＩＯＮ  ＴＲＡＮＳＦＥＲとしてＭＭＥ１１へ送信する（ステップＳ３ａ）。遅延測定要求は、ｅＮＢ２１とｅＮＢ２２の間でＣｏＭＰを行う際の制御情報およびデータの交換で使用する回線の情報とこの回線の伝送遅延を測定する手段に関する情報とを含む。ＣｏＭＰを行う際の制御情報およびデータの交換で使用する回線の情報には、例えば、ｅＮＢ２１側のＩＰアドレスと伝送プロトコル（ＳＣＴＰ(Stream  Control  Transmission  Protocol)やＧＴＰ(GPRS  Tunneling  Protocol)等）のポート番号や識別子の組を含める。また、伝送遅延を測定する手段に関する情報には、例えば、ｅＮＢ２１が使用可能な遅延測定方法（ＰＩＮＧ(Packet  Internet  Groper)、ＮＴＰ(Network  Time  Protocol)、固定メッセージの交換による測定等、既存の伝送遅延手段）のリストを含める。更にＣｏＭＰ実施時に制御情報やデータを交換する回線と遅延測定に使用する回線が異なる場合には、伝送測定手段に関する情報の一部として、当該回線遅延測定用の回線情報（ＩＰアドレスやプロトコルポート番号・識別子等）を含める。
【００３２】
ｅＮＢ２２は、上記ステップＳ３ａでｅＮＢ２１から送信された情報を受信すると、従来のＡＮＲ機能（図２のステップＳ６参照）と同様の情報、すなわち、基地局ＩＤ，位置登録エリアＩＤ，ＳＣＴＰエンドポイント情報要求を含み、さらに、遅延測定応答を含んだｅＮＢ２１宛のメッセージをｅＮＢ  ＣＯＮＦＩＧＵＲＡＴＩＯＮ  ＴＲＡＮＳＦＥＲとしてＭＭＥ１２へ送信する（ステップＳ６ａ）。遅延測定応は、上記のステップＳ３ａで送信されるメッセージの遅延測定要求と同様に、ｅＮＢ２２側のＣｏＭＰ実施時の制御情報およびデータの交換で使用する回線の情報とこの回線の伝送遅延を測定する手段に関する情報とを含む。
【００３３】
ｅＮＢ２１は、上記ステップＳ６ａでｅＮＢ２２から送信された情報を受信すると、受信した遅延測定応答に含まれるｅＮＢ２２側のＣｏＭＰ実施時の制御情報およびデータの交換で使用する回線の情報とこの回線の伝送遅延を測定する手段に関する情報とに基づき、伝送遅延測定方法を決定し、伝送遅延測定の対象となる回線（複数あっても良い）に対して伝送遅延を測定する（ステップＳ２１）。測定の結果、伝送遅延が所定値（しきい値）よりも大きい場合、ｅＮＢ２１は、ｅＮＢ２２との間でＣｏＭＰ実施不可と判定し、CoMP  Cooperation  SetにｅＮＢ２２（セル４２）を追加しない。一方、測定の結果伝送遅延が所定値よりも小さい場合、ｅＮＢ２２との間でＣｏＭＰ実施可と判定し、CoMP  Cooperation  SetにｅＮＢ２２（セル４２）を追加する。
【００３４】
ｅＮＢ２１は、上記ステップＳ２１でｅＮＢ２２をCoMP  Cooperation  Setに追加した場合、さらに、ｅＮＢ２２との間でＣｏＭＰに用いる制御情報・データ交換用回線として、装置間インタフェース１０４を確立する（ステップＳ９ａ）。この回線は制御情報交換用およびデータ交換用にそれぞれ個別に確立しても良いし、同一でも良い。また、従来ハンドオーバ制御のためにｅＮＢ２１とｅＮＢ２２の間で確立していた回線と同一であっても良い。上記ステップＳ２１でｅＮＢ２２をCoMP  Cooperation  Setに追加しなかった場合、本ステップは従来のＡＮＲ機能（図２のステップＳ９）と同様となる。
【００３５】
以降の処理は、従来と同様である。なお、ステップＳ１０においてｅＮＢ２１からｅＮＢ２２に対してＣｏＭＰ実施または非実施を通知するようにしても良い。また、ＣｏＭＰを実施する場合、ステップＳ１０〜Ｓ１１において、ＣｏＭＰで使用する送信モードの交渉をｅＮＢ２１とｅＮＢ２２の間で行っても良い。
【００３６】
このように、本実施の形態の無線通信システムにおけるCoMP  Cooperation  Setの自動構成手順では、ＡＮＲ機能によりＵＥ３が検出・報告した隣接セルを形成する基地局に対し、ＣｏＭＰ実施時に制御情報やデータを交換するために使用する回線の情報および当該回線の遅延を測定するための手段の情報を要求し、その応答として通知された回線情報および回線遅延測定手段の情報に基づいて伝送遅延を測定し、伝送遅延が所定値以下の場合に隣接セルをCoMP  Cooperation  Setに追加するようにしたので、CoMP  Cooperation  Setを自動的に構成しつつ、基地局間インタフェースにおいてＣｏＭＰを行うのに十分な伝送特性を有している隣接セル（ＣｏＭＰで必要な情報を低遅延で交換可能な隣接基地局のセル）のみとＣｏＭＰを実施することが可能となる。
【００３７】
なお、本実施の形態では、ＡＮＲ機能により隣接セルを新たに検出したときにＣｏＭＰ実施時に使用する装置間インタフェース１０４の伝送遅延の測定および確立を行うようにしているが、装置間インタフェース１０４を確立した後、定期的に伝送遅延の測定を行い、測定結果に基づきＣｏＭＰの実施・非実施を切り替えるようにしても良い。例えば、上記のステップＳ２１において測定した伝送遅延が所定値以下で、ＣｏＭＰ時の制御情報・データ交換回線を確立してＣｏＭＰを開始した後、定期的にインタフェース１０４の伝送遅延を測定し、伝送遅延が所定値より大きくなった場合にはＣｏＭＰを停止するようにする。逆にＣｏＭＰ非実施時にも定期的にインタフェース１０４の伝送遅延を測定し、伝送遅延が所定値より小さくなった場合にはＣｏＭＰを開始するようにする。これにより、回線（ＣｏＭＰ時の制御情報・データ交換回線）の状態（伝送遅延）が変動する環境においても、ＣｏＭＰを実施する無線基地局を回線状態に応じて適切に選択できる。
【００３８】
また、本実施の形態では、ｅＮＢ２１とｅＮＢ２２の間の回線（装置間インタフェース１０４）は有線回線を想定して説明を行ったが、ｅＮＢ２１とｅＮＢ２２間に無線伝送区間を含んでいても良い。例えばｅＮＢ２２がＬＴＥ−Ａｄｖａｎｃｅｄシステムで採用されるリレー基地局の場合には、ｅＮＢ２２とｅＮＢ２１の間にＤｅＮＢ（Donor  eNB）が存在（ｅＮＢ２１がｅＮＢ２２のＤｅＮＢであっても良い）し、ｅＮＢ２２とＤｅＮＢ間は無線伝送，ＤｅＮＢとｅＮＢ２１間は有線伝送の組み合わせとなる（ｅＮＢ２１もリレー基地局の場合も同様である）が、ｅＮＢ２１とｅＮＢ２２の間の伝送遅延の測定結果によりＣｏＭＰ実施を決定することに変わりはない。
【産業上の利用可能性】
【００３９】
以上のように、本発明にかかる無線基地局は、隣接している複数のセル間で協調して無線通信を行う無線通信システムを実現する場合に適している。
【符号の説明】
【００４０】
３  移動端末（ＵＥ）
１１，１２  コアネットワーク装置（ＭＭＥ）
２１，２２  無線基地局（ｅＮＢ）
４１，４２  セル（Ｃｅｌｌ）
１０１，１０２，１０３，１０４  装置間インタフェース
【図１】
0005599369.tif 000002
【図２】
0005599369.tif 000003
【図３】
0005599369.tif 000004